【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】複合機能装置システム、当該システムの制御方法、プログラム及び複合機能装置
【手続補正２】
【補正対象書類名】明細書
【補正対象項目名】特許請求の範囲
【補正方法】変更
【補正の内容】
【特許請求の範囲】
【請求項１】  複数の複合機能装置が互いにネットワークを介して接続される複合機能装置システムにおいて、
前記複合機能装置のそれぞれは、該複合機能装置に設定された機器情報を反映させる反映先の複合機能装置を指定する第１反映先指定手段と、
前記反映先指定手段により指定された反映先の複合機能装置に前記機器情報を送信する機器情報送信手段と、
前記複合機能装置とは別の複合機能装置から送信された機器情報を受信する機器情報受信手段と、
前記機器情報受信手段により受信した機器情報を前記複合機能装置に反映する機器情報反映手段と
を備えることを特徴とする複合機能装置システム。
【請求項２】 前記ネットワークは、インターネット又はローカルエリアネットワークであることを特徴とする請求項１記載の複合機能装置システム。
【請求項３】 前記複合機能装置システムは、前記複数の複合機能装置のそれぞれと機器情報の通信を行う情報処理装置を備え、前記情報処理装置は、前記複合機能装置に設定された機器情報を反映させる反映先の複合機能装置を指定する第２反映先指定手段と、前記反映先の複合機能装置に設定する機器情報の送信元の複合機能装置を指定する送信元指定手段と、前記送信元の複合機能装置の機器情報を前記反映先の複合機能装置に設定する指示を行う設定指示手段とを備え、前記設定指示手段に設定された指示に従って、前記送信元の複合機能装置の機器情報が前記反映先の複合機能装置に送信されるように構成されていることを特徴とする請求項１記載の複合機能装置システム。
【請求項４】 前記複合機能装置のそれぞれは、該複合機能装置の機器情報の変更を前記反映先の複合機能装置に反映する指示を行う反映指示手段を備え、前記反映指示手段により前記機器情報の変更を反映する指示がある場合には、前記機器情報送信手段により変更された機器情報を前記反映先の複合機能装置に送信し、前記反映先の複合機能装置は、前記機器情報受信手段を介して受信した前記変更された機器情報を前記機器情報反映手段により反映するように構成されていることを特徴とする請求項１乃至３のいずれかに記載の複合機能装置システム。
【請求項５】 前記複合機能装置のそれぞれは、前記機器情報の変更がされたか否かを判断する変更判断手段を備え、前記変更判断手段により前記機器情報の変更がされたと判断された場合には、前記機器情報送信手段により変更された機器情報を前記反映先の複合機能装置に送信し、前記反映先の複合機能装置は、前記機器情報受信手段を介して受信した前記変更された機器情報を前記機器情報反映手段により反映するように構成されていることを特徴とする請求項１乃至４のいずれかに記載の複合機能装置システム。
【請求項６】 前記複合機能装置のそれぞれは、前記変更判断手段により前記機器情報の変更がされたと判断された場合に、前記機器情報の変更がされた旨を前記ネットワークに接続される他の複合機能装置に対して通知するか否かを設定する通知設定手段と、前記通知設定手段において通知する設定がされている場合は、前記ネットワークに接続される他の複合機能装置に対して前記機器情報の変更がされた旨を通知する変更通知手段とを備え、前記変更通知手段が前記ネットワークに接続される他の複合機能装置に対して前記機器情報の変更がされた旨を通知した場合は、通知元の複合機能装置の機器情報送信手段が変更された機器情報を前記ネットワークに接続される他の複合機能装置に対して送信し、前記ネットワークに接続される他の複合機能装置は、前記機器情報受信手段を介して受信した前記変更された機器情報を前記機器情報反映手段により反映するように構成されていることを特徴とする請求項５に記載の複合機能装置システム。
【請求項７】 前記複合機能装置のそれぞれは、前記機器情報の変更がされたか否かを判断する変更判断手段と、前記変更判断手段により前記機器情報の変更がされたと判断された場合に、前記機器情報の変更がされた旨を前記ネットワークに接続される他の複合機能装置に対して通知するか否かを設定する通知設定手段と、前記通知設定手段において通知する設定がされている場合は、前記ネットワークに接続される他の複合機能装置に対して前記機器情報の変更がされた旨を通知する変更通知手段と、前記機器情報の変更がされた旨の通知を受け取った際に、変更された機器情報を取得するか否かを設定する取得設定手段と、前記変更された機器情報を取得した場合に、該変更された機器情報を反映するか否かを設定する変更機器情報反映設定手段とを備え、前記機器情報の変更がされた旨が通知された場合に、前記ネットワークに接続される他の複合機能装置は、前記取得設定手段と前記変更機器情報反映設定手段との設定に基づいて、前記変更された機器情報を反映することを特徴とする請求項４に記載の複合機能装置システム。
【請求項８】 複数の複合機能装置が互いにネットワークを介して接続される複合機能装置システムの制御方法において、前記複合機能装置のそれぞれは、該複合機能装置に設定された機器情報を反映させる反映先の複合機能装置を指定する第１反映先指定ステップと、前記反映先指定ステップにより指定された反映先の複合機能装置に前記機器情報を送信する機器情報送信ステップと、前記複合機能装置とは別の複合機能装置から送信された機器情報を受信する機器情報受信ステップと、前記機器情報受信ステップにより受信した機器情報を前記複合機能装置に反映する機器情報反映ステップとを備えることを特徴とする複合機能装置システムの制御方法。
【請求項９】 複数の複合機能装置が互いにネットワークを介して接続される複合機能装置システムで使用されるプログラムにおいて、前記複合機能装置のそれぞれは、該複合機能装置に設定された機器情報を反映させる反映先の複合機能装置を指定する第１反映先指定ステップと、前記反映先指定ステップにより指定された反映先の複合機能装置に前記機器情報を送信する機器情報送信ステップと、前記複合機能装置とは別の複合機能装置から送信された機器情報を受信する機器情報受信ステップと、前記機器情報受信ステップにより受信した機器情報を前記複合機能装置に反映する機器情報反映ステップとを前記複合機能装置のそれぞれに実行させることを特徴とするプログラム。
【請求項１０】 複合機能装置において、
前記複合機能装置に設定された機器情報を反映させる反映先の複合機能装置を指定する第１反映先指定手段と、
前記反映先指定手段により指定された反映先の複合機能装置に前記機器情報を送信する機器情報送信手段と、
前記複合機能装置とは別の複合機能装置から送信された機器情報を受信する機器情報受信手段と、
前記機器情報受信手段により受信した機器情報を前記複合機能装置に反映する機器情報反映手段と
を備えることを特徴とする複合機能装置。
【手続補正３】
【補正対象書類名】明細書
【補正対象項目名】０００５
【補正方法】変更
【補正の内容】
【０００５】
本発明は、上記の問題点を解消するためになされたもので、複合機能装置が導入された際に、既に導入されている複合機能装置の機器情報を、該導入された複合機能装置に設定することで、導入時の煩わしい設定処理を軽減することができる複合機能装置システム、当該システムの制御方法、プログラム及び複合機能装置を提供することを目的とする。
【手続補正４】
【補正対象書類名】明細書
【補正対象項目名】００８７
【補正方法】変更
【補正の内容】
【００８７】
〔実施態様９〕  複数の複合機能装置が互いにネットワークを介して接続される複合機能装置システムで使用されるプログラムにおいて、前記複合機能装置のそれぞれは、該複合機能装置に設定された機器情報を反映させる反映先の複合機能装置を指定する第１反映先指定ステップと、前記反映先指定ステップにより指定された反映先の複合機能装置に前記機器情報を送信する機器情報送信ステップと、前記複合機能装置とは別の複合機能装置から送信された機器情報を受信する機器情報受信ステップと、前記機器情報受信ステップにより受信した機器情報を前記複合機能装置に反映する機器情報反映ステップとを前記複合機能装置のそれぞれに実行させることを特徴とするプログラム。
〔実施態様１０〕  複合機能装置において、前記複合機能装置に設定された機器情報を反映させる反映先の複合機能装置を指定する第１反映先指定手段（Ｗｅｂサービス３２及び制御部３６）と、前記反映先指定手段により指定された反映先の複合機能装置に前記機器情報を送信する機器情報送信手段（情報送信部３４）と、前記複合機能装置とは別の複合機能装置から送信された機器情報を受信する機器情報受信手段（情報受信部３２）と、前記機器情報受信手段により受信した機器情報を前記複合機能装置に反映する機器情報反映手段（制御部３６及び情報記憶部３７）とを備えることを特徴とする複合機能装置。